(57)【要約】【課題】領域自体を監視することに加えて、１つ以上の状態が検出されたときに、監視対象領域内にいる人の位置も判定する。【解決手段】識別システムは、ＲＦ識別タグを、監視システムの周囲状態検出器と組み合わせる。監視対象領域にいる一人一人が、タグを携行することができ、警報状態の発生時に、第１応答者に占拠フィードバックを与えることができる。【選択図】図１
2007207233.tif 000002
【特許請求の範囲】
【請求項１】
複数の周囲状態検出器であって、該複数の周囲状態検出器の各々のメンバが、複数のＲＦ発信識別タグのメンバから発信された識別信号のＲＦ受信機を含む、前記周囲状態検出器と、
前記周囲状態検出器から離れて位置し、該周囲状態検出器から、検知した周囲状態を示す信号を受信する制御ユニットと、
を備えている、システム。
【請求項２】
前記周囲状態検出器の少なくとも一部は、前記制御ユニットに指示を転送し、該指示が、識別信号を受信したタグを識別する、請求項１記載のシステム。
【請求項３】
前記制御ユニットは、前記周囲状態検出器からの信号の少なくとも一部に応答し、前記周囲状態検出器の少なくとも一部に、それぞれの指示を転送するように指令するソフトウェアを含む、請求項２記載のシステム。
【請求項４】
前記周囲状態検出器は、火災、火炎、煙、または侵入検出器の内少なくとも１つを備えている、請求項３記載のシステム。
【請求項５】
複数の受動型場所インディケータを設けるステップと、
電磁場を活性化し、活性化した電磁場に応答して場所特定指示をワイヤレスで送信する少なくとも１つの探知機を設けるステップと、
第１の場所において第１周囲状態を検知するステップと、
前記第１の場所において受信した指示を検知するステップと、
第１の場所において検知した第１周囲状態に応答して、該第１周囲状態の表現を、離れた場所に送信するステップと、
前記第１の場所において受信した指示を、前記離れた場所に送信するステップと、
表示位置において前記指示の表現を表示し、人物識別指示を、前記表示した指示のそれぞれと関連付けるステップと、
を備えている、方法。
【請求項６】
請求項５記載の方法であって、複数の離間した場所において少なくとも１種類の周囲状態を検知するステップを含み、更に、第２の複数の異なる場所特定指示を、複数のメンバに送信するステップを含む、方法。
【発明の詳細な説明】
【技術分野】
【０００１】
本発明は、火災またはガス監視システム、侵入検出システム等のような、周囲状態監視システムに関するものである。更に特定すれば、本発明は、それぞれのシステムが監視している領域における人の存在を検出し、このような人の所在に関して第１応答者（ｒｅｓｐｏｎｄｅｒ）に情報を提供することができる、このようなシステムに関するものである。
【背景技術】
【０００２】
火災、ガス、または盗難防止システムのような周囲状態監視システムは、１つ以上の警報状態の所在および種類に関しての情報を、建物上の人だけでなく、第１応答者にも提供する際に非常に有用となり得ることが認められている。このようなシステムは、多くの場合、火災、ガス、侵入等のような種々の周囲状態を監視し、監視対象領域の１つ以上の部分において選択した状態の存在を判定することができる。
【発明の開示】
【発明が解決しようとする課題】
【０００３】
領域自体を監視することに加えて、１つ以上の状態が検出されたときに、監視対象領域内にいるかもしれない人の１箇所または複数箇所の場所も判定できることができれば望ましいであろう。例えば、火災状態が生じている建造物の二階または三階に人のグループがいることを判定することができれば、第１応答者にとって非常に有用となることができる。
【０００４】
このようなフィードバックを比較的安価に提供することができ、通常その区域にいるそれぞれの人には負担を負わせなくても済めば好ましいであろう。更に、このような情報を離れた建物に伝達することができ、この建物から第１応答者を急行させ、監視対象のそれぞれの建造物または領域の状態に関してできるだけ多くの情報を、できるだけ早く提供することができれば望ましいであろう。
【実施例】
【０００５】
本発明は多くの異なる形態を取ることができるが、ここではその特定的な実施形態を図面に示し、詳細に説明する。しかし、本開示は、本発明の原理の例示、およびこれを実施する最良の態様と見なすこととし、図示する特定的な実施形態に本発明を限定することを意図していないことは合意されているものとする。
【０００６】
本発明の一実施形態における火災警報制御ユニットまたはパネル（ＦＡＣＰ）は、複数の周囲状態検出器のメンバを監視するように構成されている。検出器の一部は人物を監視することができる。検出器は、ワイヤレス信号を利用して、人物に取り付けられているタグまたはバッジのようなデバイスを監視する。ワイヤレス信号は、検出器（複数の検出器）およびバッジの間で結合される。
【０００７】
ＦＡＣＰおよび検出器間の接続は、ワイヤまたはファイバのような、物理的媒体とすればよい。あるいは、ＦＡＣＰおよび検出器（複数の検出器）間の接続は、ワイヤレスであってもよい。人物に取り付けるデバイスは、一意であるとよい。これをその人物に関する何らかの個人情報にリンクするとよく、あるいは汎用デバイスを用いて、どこに非特定占拠者が位置しているか単に特定するようにしてもよい。
【０００８】
バッジ（複数のバッジ）を「活性化」するためには、送信機を必要とする場合もある。送信機は、それぞれのＲＦ受信機と共に１つ以上の検出器内に配置すればよく、あるいは設備内のいずれかの場所に配置してもよい。
【０００９】
以下の想定場面は例示に過ぎず、本発明の限定ではない。
【００１０】
想定場面１（特定の占拠者、特定の場所、警報状態）
ＦＡＣＰは、一意のバッジを一人一人にリンクするように構成されている。
ある時点において、ＦＡＣＰは火災警報を報知する。緊急応答者は、ＦＡＣＰにおける警報関連情報を視認することができる。緊急応答者は、誰が建造物内にいるのか知る必要がある。緊急応答者が、１つのボタンを押下する、またはある種のメニュー・システムを進めることによって、建造物内における人物のリストを要求すると、ＦＡＣＰはこの情報を検出器から要求する。検出器は、１つ以上の受信したワイヤレス信号を評価して、受信している信号の発信元であるバッジを判定する。
【００１１】
ＦＡＣＰは、次いで、構成した情報にこのバッジをリンクすることができる。緊急応答者は、ＦＡＣＰの画面上または離れた画面上でこの情報を視認することができ、あるいはＦＡＣＰに連動するプリンタにそれを送ることができる。サンプル・データは次の項目を含む。
バッジ番号
検出器番号
検出器の記述（包括的アドレス、あるいは建造物番号、階数、部屋番号等のような、場所の指標のような、その他の関連情報）
ユーザ名（名前、中間名、および／または名字、そして任意の添字）
連絡先電話番号
ユーザの住所
代わりの電話番号（例えば、携帯電話の番号）
緊急連絡先名（名前、中間名、および／または名字、そして任意の添字）
緊急連絡先電話番号
緊急連絡先の代わりの電話番号（例えば、携帯電話の番号）
緊急連絡先の住所
【００１２】
ＦＡＣＰは、サンプル・データのいずれでも、または全てを含むように構成することができる。
加えて、ＦＡＣＰは一部の集合情報を表示することができる。ＦＡＣＰは、バッジ／要員（ｐｅｒｓｏｎｎｅｌ）の密度に関する情報を表示または印刷することもできる。この情報は、限定ではなく、以下を含むことができる。
検出器番号
検出器の記述（包括的アドレス、あるいは建造物番号、階数、部屋番号等のような、場所の指標のような、その他の関連情報）
この検出器が示すバッジの数
【００１３】
この情報は、検出器毎に繰り返すことができる。リストを並び換えることもできる。並び換えたリストの例は、以下を含む。
バッジ数が最も多い検出器を先頭に置く。
アドレス順に検出器を掲示する。
【００１４】
想定場面２（特定的な占拠者、特定的な場所、連続監視）
ＦＡＣＰは、一意のバッジを一人一人にリンクするように構成されている。
この想定場面では、ＦＡＣＰは、バッジが建造物または設備全域で移動する際に、連続的にこれらを監視する。いずれの時点においても、ＦＡＣＰは直ちにバッジ情報を表示することができる。
ＦＡＣＰは、想定場面１において掲示したサンプル・データのいずれでも、または全てを含むように構成することができる。
【００１５】
想定場面３（特定的な人物、特定的な場所、追加デバイス）
ＦＡＣＰは、一意のバッジを一人一人にリンクするように構成されている。
ＦＡＣＰは、保護されている構内ネットワークのようなネットワークを用いて、その他のデバイス、追加のＦＡＣＰまたは追加の報告デバイスに接続されている。ＦＡＣＰは、バッジ／占拠情報を、ネットワーク上の他のデバイスに送信することができる。
【００１６】
バッジ／占拠情報は、先に示した想定場面１または想定場面２のいずれかにしたがって、ネットワークを通じて送ることができる。
多数のＦＡＣＰからの情報を共通ディスプレイ上に表示する場合には、追加情報を用いることができる。表示することができる追加情報は、以下を含む。
パネル番号
パネルの記述
【００１７】
想定場面４（一般的な占拠、一般的な場所）
ＦＡＣＰは、一意のバッジを一人一人にリンクするようには構成されていない。
この想定場面では、ＦＡＣＰは、単にバッジの場所を判定できるに過ぎない。この想定場面の下で提供される情報は、検出器Ｘが、当該検出器の区域においてバッジ／占拠者の総数を判定したということである。
【００１８】
ＦＡＣＰにおいて表示する情報、ＦＡＣＰによって印刷する情報、またはこのＦＡＣＰによって他の報知デバイスに送信することができる情報は、限定ではなく、以下の項目を含むことができる。
検出器番号
検出器の記述（包括的アドレス、あるいは建造物番号、階数、部屋番号等のような、場所の指標のような、その他の関連情報）
区域における占拠者／バッジの数
この情報を収集し、想定場面１、２、および３にしたがってネットワークを通じて送ることができる。
【００１９】
図１は、全体的に１０で示す火災警報監視システムを設置した領域Ｒの平面図を示す。このシステムは、火災警報制御パネル（制御ユニット１２）を組み込み、これを、全体的に１６で示す複数の周囲状態検出器に、全体的に１４で示す有線またはワイヤレスの媒体を通じて結合する。
【００２０】
検出器１６Ａ．．．１６Ｎは、火災、煙、ガス、温度のような状態を監視することができ、全てに制限はないことは言外である。当業者には理解されようが、複数の１６のメンバ（検出器１６Ａ．．．１６Ｎ）は、領域Ｒ全域に分散され、媒体１４を通じて制御ユニット１２に結合されている。制御ユニット１２は、視覚ディスプレイ１２ａ、１つ以上のプログラマブル・プロセッサ１２ｂ、制御ソフトウェア１２ｃ、全体的に１２ｄで示す、複数の検出器１６との通信に伴う種々の回路、および１つ以上のプリンタ（インターフェース１２ｅ）を組み込んでいる。
【００２１】
制御ユニット１２は、従来の形式の状態監視処理ソフトウェア１２ｃを組み込み、インターフェース１２ｅを通じて複数の１６のメンバ（検出器１６Ａ．．．１６Ｎ）のから受信した有線またはワイヤレス信号に基づいて、１つ以上の所定の警報状態の存在を判定することができる。更に、システム１０は、ネットワーク１０−１を通じて、全てに制限がない離れたシステムの１つ以上と通信することができる。
【００２２】
本発明によれば、検出器１６Ａ、ＢまたはＣ等のような検出器の少なくとも一部が、ワイヤレス受信機２０Ａ、２０Ｂ、２０Ｃ．．．２０Ｎを組み込んでおり、これらは、２４ａのような遠隔ＲＦ識別ユニットからの信号を受信する送受信機として構成することができる。ＲＦ識別ユニットは、例えば、識別パスに組み込まれている受動ＲＦＩＤタグ、または領域Ｒを訪問しているまたはここで作業している、図３の人Ｉのような、人に装着することができるバッジ２４とすることができる。このようなＲＦＩＤ型タグは、受動型の場合、ローカルなＲＦ場の存在を拠り所としてエネルギを得て、それに応答してワイヤレスでローカルな受信機に送信する。
【００２３】
図２および図３に示すように、システム１０は、全体的に２０Ａで示す少なくとも１つの受信機を、バッジＸＹＺ、２４に埋め込まれている、ローカルなＲＦＩＤタグ２４ａからの信号を受信するために、図２に示す検出器１６Ａのような種々の検出器に組み込むことができる。先に注記したように、タグ２４ａのような、このようなタグには、種々の信号源からの、ＲＦで全体的に示す、ローカルなＲＦ信号によってエネルギを供給することができる。
【００２４】
信号源の１つは、全てに制限がない検出器１６Ａ．．．１６Ｎのような、種々の検出器と連動する送受信機とすることができる。別の信号源は、近隣のＲＦＩＤタグにエネルギを供給するためにローカルなＲＦ場を生成する目的で、種々の検出器以外に、領域Ｒ全域に散在する１つ以上の送信機とすることができる。あるいは、例えば、電源ユニットをネーム・タグに内蔵したＲＦＩＤタグを用いることもできる。
【００２５】
図２および図３に示すように、全体的にＲＦ１で示すような信号は、タグ２４ａのような１つ以上のタグから、１６Ａのようなそれぞれの検出器において、受信機または送受信機２０Ａを介して、受信機または送受信機２０Ａ、Ｂ、．．．Ｎの近傍にあるそれぞれのタグ２４ａの存在に応答して、受信することができる。関連する周囲状況に関する情報、およびそれぞれの検出器の近傍において識別したＲＦタグに関する情報は、媒体１４およびインターフェース１２ｅを通じて、制御パネルまたは制御ユニット１２に結合することができる。このような情報は、全体的に３０で示すように、制御パネル１２内部のディスプレイ１２ａ上に表示することができる。
【００２６】
望ましければ、ネットワーク１０−１を通じて、他の現場に情報を送信し、グラフィック表示することができる。ディスプレイ１２ａ上の情報３０は、第１応答者に、検出器１６Ａの近傍にいる１人以上の人を摘発することができる。
１６Ａのようなそれぞれの検出器の前に、同時に、または後に情報３０を供給し、１つ以上の周囲状態指示を制御パネル１２に伝達することができる。尚、情報３０と、検出器１６Ａ．．．１６Ｎから制御ユニット１２に結合される周囲状態情報との間の正確な関係は、本発明の限定ではないことは同意を得ているものとする。
【００２７】
図４は、別の構成を示し、ここでは、全体的に４０および４２で示す第１および第２監視システムを、ネットワーク１０−１を通じて、離れたディスプレイ・デバイス４４に結合することができる。ディスプレイ・デバイス４４は、発信局（ｄｉｓｐａｔｃｈｉｎｇ  ｓｔａｔｉｏｎ）、消防署、第１応答者の車両等に配置することができるが、これらに限定はない。図４に示すように、４０、４２のシステムにおけるそれぞれの検出器は、各々、ＲＦ識別タグを組み込んだそれぞれのバッジ２４−１、２４−２からの信号ＲＦ２、ＲＦ３のようなＲＦ信号を受信する目的で、検出器１６ＡのＲＦ受信機２０Ａに相当するＲＦ受信機を含む。尚、システム４０、４２を領域Ｒ１、Ｒ２と関連付けることができ、これらの領域は１つの共通の建造物または物理的に分離した複数の建造物内にあってもよいことは理解されよう。
【００２８】
更に、ディスプレイ４２ａおよび５２ａのような、制御ユニット４２、５２上のローカルなディスプレイは、望ましければ、それぞれのディスプレイ４２ａ、５２ａ上に、情報３０−１および３０−２を表示することができる。
また、監視システムの形式は本発明の限定ではないことは、同意を得ているものとする。本発明の実施形態は、侵入指示監視システムだけでなく、ＨＶＡＣも組み込むことができる。
【００２９】
以上の説明から、本発明の主旨および範囲から逸脱することなく、多数の変形や変更が行われることに気付かれよう。ここに例示した特定的な装置に関しては、限定を意図しておらず、そのように推察すべきでないことは同意されているものとする。勿論、特許請求の範囲に該当する変更は全て、添付した特許請求の範囲に含まれることとする。
【図面の簡単な説明】
【００３０】
【図１】本発明にしたがって監視されている領域の床面の平面図。
【図２】図１のシステムのそれぞれの態様のブロック図。
【図３】図１のシステムの更に別の態様を示す。
【図４】本発明の別の態様を示す更に別のブロック図。
【符号の説明】
【００３１】
１０−１  ネットワーク
１２  制御ユニット
１２ａ  ディスプレイ
１２ｂ  プロセッサ
１２ｃ  ソフトウェア  
１２ｅ  検出器インターフェース
１４  媒体
１６Ａ、１６Ｂ、１６Ｃ  検出器
２０Ａ、２０Ｂ、２０Ｃ．．．２０Ｎ  ワイヤレス受信機
２４  バッジ
２４ａ  ２４ａ  遠隔ＲＦ識別ユニット
３０  ディスプレイ
４０  第１監視システム
４２  第２監視システム
４２ａ  ディスプレイ
４２ｂ  プロセッサ
４２ｃ  ソフトウェア
４２ｅ  検出器インターフェース
４４  ディスプレイ・デバイス
５２ａ  ディスプレイ
５２ｂ  プロセッサ
５２ｃ  ソフトウェア
５２ｅ  検出器インターフェース
【図１】
2007207233.tif 000003
【図２】
2007207233.tif 000004
【図３】
2007207233.tif 000005
【図４】
2007207233.tif 000006